(57)【要約】【課題】  チャンネルサーチのレスポンスを高めることができるようにする。【解決手段】  たとえばＤＶＤプレーヤーの送信機からのたとえば３ＣＨでの送信チャンネルで送信されたオーディオ信号が途絶えた後に、送信チャンネルが受信機のチャンネルサーチ部によって再サーチされる際、オーディオ信号が途絶える直前の送信チャンネルをラストチャンネル（３ＣＨ）とし、１ＣＨ→３ＣＨ→２ＣＨ→３ＣＨ→４ＣＨ→３ＣＨといったようなチャンネルサーチが繰り返されるように、従来のように、１ＣＨからの順にチャンネルサーチが行われる場合に比べて、ラストチャンネル（３ＣＨ）をサーチする頻度が増えるようにする。【選択図】  図３
2006086982.tif 000002
【特許請求の範囲】
【請求項１】
複数の送信チャンネルを有するワイヤレスシステムであって、
オーディオ信号を任意の前記送信チャンネルで送信可能な送信機と、
送信された前記オーディオ信号がいずれの送信チャンネルで送信されたかをサーチするチャンネルサーチ手段を有する受信機とを備え、
前記チャンネルサーチ手段は、前記オーディオ信号が途絶えた後に前記送信チャンネルを再サーチする際、前記オーディオ信号が途絶える直前の送信チャンネルと他の送信チャンネルとを交互にサーチする
ことを特徴とするワイヤレスシステム。
【請求項２】
前記チャンネルサーチ手段は、前記オーディオ信号が途絶える直前の送信チャンネルをラストチャンネルとし、前記他の送信チャンネルをサーチした後、前記ラストチャンネルに戻るというサーチを繰り返すことを特徴とする請求項１に記載のワイヤレスシステム。
【請求項３】
前記チャンネルサーチ手段は、前記オーディオ信号が途絶える直前の送信チャンネルをラストチャンネルとし、前記ラストチャンネルをサーチした後、前記他の送信チャンネルをサーチし、さらに前記ラストチャンネルに戻るというサーチを繰り返すことを特徴とする請求項１に記載のワイヤレスシステム。
【請求項４】
前記チャンネルサーチ手段は、前記オーディオ信号が途絶える直前の送信チャンネルを記憶する記憶手段を有することを特徴とする請求項１〜３のいずれかに記載のワイヤレスシステム。
【請求項５】
複数の送信チャンネルを有するワイヤレスシステムにおけるチャンネルサーチ方法であって、
オーディオ信号を任意の前記送信チャンネルで送信する工程と、
送信された前記オーディオ信号がいずれの送信チャンネルで送信されたかをサーチする工程とを有し、
前記オーディオ信号が途絶えた後に前記送信チャンネルが再サーチされる際、前記オーディオ信号が途絶える直前の送信チャンネルと他の送信チャンネルとが交互にサーチされる
ことを特徴とするワイヤレスシステムにおけるチャンネルサーチ方法。
【請求項６】
前記オーディオ信号が途絶える直前の送信チャンネルをラストチャンネルとする工程と、
前記他の送信チャンネルをサーチした後、前記ラストチャンネルに戻るというサーチを繰り返す工程とを有する
ことを特徴とする請求項５に記載のワイヤレスシステムにおけるチャンネルサーチ方法。
【請求項７】
前記オーディオ信号が途絶える直前の送信チャンネルをラストチャンネルとする工程と、
前記ラストチャンネルをサーチした後、前記他の送信チャンネルをサーチし、さらに前記ラストチャンネルに戻るというサーチを繰り返す工程とを有する
ことを特徴とする請求項５に記載のワイヤレスシステムにおけるチャンネルサーチ方法。
【請求項８】
前記オーディオ信号が途絶える直前の送信チャンネルを記憶する工程を有することを特徴とする請求項５〜７のいずれかに記載のワイヤレスシステムにおけるチャンネルサーチ方法。
【発明の詳細な説明】
【技術分野】
【０００１】
本発明は、複数の送信チャンネルを有するワイヤレスシステムに係り、特に、受信機側でのチャンネルサーチを素早く行わせるワイヤレスシステムに関する。
【背景技術】
【０００２】
アナログ又はデジタルのワイヤレス伝送方式によるワイヤレスシステムにあっては、複数の送信チャンネルを用いることができ、オーディオ信号を任意の送信チャンネルで送信可能な送信機と、送信されたオーディオ信号がいずれの送信チャンネルで送信されたかをサーチするチャンネルサーチ手段を有する受信機とを備えている。
【０００３】
また、通信方式には、たとえばデジタルの場合、２．４ＧＨｚ帯の電波を使う方式や赤外線方式がある。ちなみに、電波による通信方式では、障害物による信号の遮断等が発生しないメリットがあるが、パソコンのワイヤレスＬＡＮ通信等のように同じ場所で使用すると信号の干渉が生じることもある。
【０００４】
一方、赤外線方式では、障害物に対しては不利である反面、用途毎にサブキャリア周波数の割り当てが行われており、たとえば赤外線デジタルワイヤレス伝送システムではたとえばＨｉＦｉオーディオ用に割り当てられたたとえば３〜６ＭＨｚの帯域が使用されている。そのため、他の信号との干渉が無く、安定した信号の伝送が可能となる。
【０００５】
このように、電波や赤外線による通信方式には、それぞれ一長一短があるため、使用目的に応じて使い分けが行われている。
【０００６】
ここで、ワイヤレスシステムを、サラウンドシステムに適用した場合の一例について説明する。図４は、たとえば４ｃｈのサラウンドシステムに適用した場合を示すものであり、テレビジョン装置（ＴＶ）１にケーブル１ａを介して接続されるＡＶアンプ内蔵の受信機２と、この受信機２にコード３，４を介して接続される、送信部５ａ，６ａを有する左フロントｃｈスピーカ５及び右フロントｃｈスピーカ６と、受信部７ａ，８ａを有する左リアｃｈスピーカ７及び右リアｃｈスピーカ８とが設けられている。ここで、左リアｃｈスピーカ７及び右リアｃｈスピーカ８は、視聴者の背面側に配置される。
【０００７】
また、再生器としては、ＤＶＤプレーヤー９やＭＤプレーヤー１０等を用いることができ、それぞれに送信機９ａ，１０ａを接続することで、それぞれの再生信号であるオーディオ信号をワイヤレスで受信機２に送信できるようになっている。
【０００８】
ここで、受信機２は、たとえば４ＣＨ（チャンネル）での送信チャンネルのいずれかをサーチして受信できるものとし、ＤＶＤプレーヤー９の送信機９ａからの送信チャンネルがたとえば３ＣＨに設定され、ＭＤプレーヤー１０の送信機１０ａからの送信チャンネルがたとえば４ＣＨに設定されているものとする。ちなみに、受信機２は、送信チャンネルを４つ有しているため、残りの送信チャンネルを用いてＣＤプレーヤー等の他の再生器からのオーディオ信号を受信することができる。
【０００９】
そして、たとえばＤＶＤプレーヤー９によって再生されたオーディオ信号が送信機９ａから送信されると、受信機２側ではチャンネルサーチを行い、３ＣＨの信号を受信する。その後、受信機２に内蔵されている図示しないＡＶアンプにより、ＤＶＤソフトに収録されているドルビーデジタル等のオーディオ信号がＤＳＰによってデジタル処理され、ＣＯＤＥＣ等により、左フロントｃｈ、右フロントｃｈ、左リアｃｈ、右リアｃｈのそれぞれのオーディオ信号が出力される。
【００１０】
ちなみに、左フロントｃｈ及び左リアｃｈのオーディオ信号がコード３を介して左フロントｃｈスピーカ５に出力されると、左フロントｃｈのオーディオ信号が左フロントｃｈスピーカ５から出力される。このとき、左リアｃｈのオーディオ信号が左フロントｃｈスピーカ５の送信部５ａから送信され、左リアｃｈスピーカ７の受信部７ａにより受信されることにより、左リアｃｈのオーディオ信号が左リアｃｈスピーカ７から出力される。
【００１１】
また、右フロントｃｈ及び右リアｃｈのオーディオ信号がコード４を介して右フロントｃｈスピーカ６に出力されると、右フロントｃｈのオーディオ信号が右フロントｃｈスピーカ６から出力される。このとき、右リアｃｈのオーディオ信号が右フロントｃｈスピーカ６の送信部６ａから送信され、右リアｃｈスピーカ８の受信部８ａにより受信されることにより、右リアｃｈのオーディオ信号が右リアｃｈスピーカ８から出力される。
【００１２】
一方、ＭＤプレーヤー１０による再生が行われた場合には、上記同様に、受信機２側でのチャンネルサーチが行われ、設定されている上述した４ＣＨの信号が受信されることで、左フロントｃｈスピーカ５及び右フロントｃｈスピーカ６からの音声出力が行われる。
【００１３】
ところで、受信機２におけるチャンネルサーチであるが、たとえば再生中のＤＶＤプレーヤー９の電源がオフされた後、再度、ＤＶＤプレーヤー９の電源がオンされてＤＶＤソフトが再生された場合、一般に受信機２側では１ＣＨから順にチャンネルサーチを開始し、３ＣＨでのオーディオ信号が受信されるようになっている。また、ＤＶＤプレーヤー９の送信機９ａからのオーディオ信号の受信が何らかの原因によって途絶えた後も同様に、受信機２側では１ＣＨから順にチャンネルサーチを開始し、３ＣＨでのオーディオ信号が受信されるようになっている。
【００１４】
このようなチャンネルサーチは、受信可能な４ＣＨのうち、いずれの送信チャンネルでの送信があるかが不明であるため、まず、１ＣＨからのサーチが行われるように設定されている。そのため、再度、３ＣＨでのオーディオ信号を受信する際のチャンネルサーチのレスポンスの低下を招いてしまう。
【００１５】
チャンネルサーチのレスポンスを高めるようにしたものとして、特許文献１では、通信状態が良好な通信ＣＨ（チャンネル）を保持するようにすることで、メイン電源がＯＦＦからＯＮにされたときの通信開始時間を短縮するようにしたプリンタを提案している。
【００１６】
すなわち、特許文献１でのプリンタは、データ送受信器から通信ＣＨ（チャンネル）１〜５のいずれかを使用して送信されてきたデータを受信し、そのデータに誤りがあれば、データに誤りがなくなるまで通信ＣＨ（チャンネル）１〜５の周波数を順次変更（周波数サーチ）するとともに、データに誤りの無い通信ＣＨ（チャンネル）１〜５のいずれかによる通信が終了すると、その通信ＣＨ（チャンネル）１〜５のいずれかをＳＲＡＭのＣＨ保存エリアに保存し、メイン電源がＯＦＦからＯＮとされたとき、ＣＨ保存エリアに保存されている良好な通信ＣＨ（チャンネル）１〜５のいずれかの周波数を用いてデータ送受信器との間での通信を開始させるようにしたものである。
【００１７】
【特許文献１】特開２００２−４９４７４号公報
【発明の開示】
【発明が解決しようとする課題】
【００１８】
ところで、上述した特許文献１によるチャンネルサーチ方法は、良好な通信ＣＨ（チャンネル）を確保しようとするものであり、データ受信器に対してデータ送信器が一対一で対応している場合に有効である。
【００１９】
そのため、このようなチャンネルサーチ方法を、図４で説明したサラウンドシステムにおけるワイヤレスシステムに適用しようとすると、オーディオ信号の受信すべきＣＨが固定されてしまうことになり、次のような不具合を招いてしまう。
【００２０】
すなわち、図４での受信機２は、受信可能なたとえば４ＣＨのそれぞれの送信チャンネルを用いて、ＤＶＤプレーヤー９やＭＤプレーヤー１０等の複数の再生器からのオーディオ信号を受信できるものである。
【００２１】
そのため、たとえば３ＣＨに設定されているＤＶＤプレーヤー９側からのオーディオ信号がＤＶＤプレーヤー９側の電源断又は障害物等による信号遮断の後に、再度、３ＣＨのみのチャンネルサーチを行うように設定されている場合には有効であるが、ＤＶＤプレーヤー９の再生を停止した後、たとえば４ＣＨの送信チャンネルに設定されているＭＤプレーヤー１０による再生を行った場合、ＭＤプレーヤー１０の送信機１０ａからの４ＣＨでのオーディオ信号を受信できなくなってしまう。
【００２２】
これは、特許文献１によるチャンネルサーチ方法を適用すると、受信機２側がＤＶＤプレーヤー９の送信チャンネルである３ＣＨのみのサーチに固定されてしまうことによるためであり、ＭＤプレーヤー１０の送信機１０ａからの４ＣＨの送信チャンネルのチャンネルサーチが実行されないためである。この場合、受信機２側での受信チャンネルの変更が必要となり、操作性が低下してしまうことになる。
【００２３】
解決しようとする問題点は、オーディオ信号が途絶えた後に送信チャンネルを再サーチする際、１ＣＨからの順にチャンネルサーチが行われるようにすると、チャンネルサーチのレスポンスの低下を招いてしまうという点である。
【課題を解決するための手段】
【００２４】
本発明のワイヤレスシステムは、複数の送信チャンネルを有するワイヤレスシステムであって、オーディオ信号を任意の前記送信チャンネルで送信可能な送信機と、送信された前記オーディオ信号がいずれの送信チャンネルで送信されたかをサーチするチャンネルサーチ手段を有する受信機とを備え、前記チャンネルサーチ手段は、前記オーディオ信号が途絶えた後に前記送信チャンネルを再サーチする際、前記オーディオ信号が途絶える直前の送信チャンネルと他の送信チャンネルとを交互にサーチすることを特徴とする。
また、前記チャンネルサーチ手段は、前記オーディオ信号が途絶える直前の送信チャンネルをラストチャンネルとし、前記他の送信チャンネルをサーチした後、前記ラストチャンネルに戻るというサーチを繰り返すようにすることができる。
また、前記チャンネルサーチ手段は、前記オーディオ信号が途絶える直前の送信チャンネルをラストチャンネルとし、前記ラストチャンネルをサーチした後、前記他の送信チャンネルをサーチし、さらに前記ラストチャンネルに戻るというサーチを繰り返すようにすることができる。
また、前記チャンネルサーチ手段は、前記オーディオ信号が途絶える直前の送信チャンネルを記憶する記憶手段を有するようにすることができる。
本発明のワイヤレスシステムにおけるチャンネルサーチ方法は、複数の送信チャンネルを有するワイヤレスシステムにおけるチャンネルサーチ方法であって、オーディオ信号を任意の前記送信チャンネルで送信する工程と、送信された前記オーディオ信号がいずれの送信チャンネルで送信されたかをサーチする工程とを有し、前記オーディオ信号が途絶えた後に前記送信チャンネルが再サーチされる際、前記オーディオ信号が途絶える直前の送信チャンネルと他の送信チャンネルとが交互にサーチされることを特徴とする。
また、前記オーディオ信号が途絶える直前の送信チャンネルをラストチャンネルとする工程と、前記他の送信チャンネルをサーチした後、前記ラストチャンネルに戻るというサーチを繰り返す工程とを有するようにすることができる。
また、前記オーディオ信号が途絶える直前の送信チャンネルをラストチャンネルとする工程と、前記ラストチャンネルをサーチした後、前記他の送信チャンネルをサーチし、さらに前記ラストチャンネルに戻るというサーチを繰り返す工程とを有するようにすることができる。
また、前記オーディオ信号が途絶える直前の送信チャンネルを記憶する工程を有するようにすることができる。
本発明に係るワイヤレスシステムでは、送信機からの任意の送信チャンネルで送信されたオーディオ信号が途絶えた後に送信チャンネルが受信機のチャンネルサーチ手段によって再サーチされる際、オーディオ信号が途絶える直前の送信チャンネルと他の送信チャンネルとが交互にサーチされるようにすることで、オーディオ信号が途絶える直前の送信チャンネルをサーチする頻度を増やすことができる。
【発明の効果】
【００２５】
本発明のワイヤレスシステムによれば、送信機からの任意の送信チャンネルで送信されたオーディオ信号が途絶えた後に送信チャンネルが受信機のチャンネルサーチ手段によって再サーチされる際、オーディオ信号が途絶える直前の送信チャンネルと他の送信チャンネルとが交互にサーチされるようにし、オーディオ信号が途絶える直前の送信チャンネルをサーチする頻度が増えるようにしたので、チャンネルサーチのレスポンスを高めることができる。
【発明を実施するための最良の形態】
【００２６】
本実施形態でのワイヤレスシステムでは、送信機からの任意の送信チャンネルで送信されたオーディオ信号が途絶えた後に送信チャンネルが受信機のチャンネルサーチ手段によって再サーチされる際、オーディオ信号が途絶える直前の送信チャンネルと他の送信チャンネルとが交互にサーチされるように、オーディオ信号が途絶える直前のラストチャンネルをサーチする頻度が増えるようにすることで、チャンネルサーチのレスポンスを高めるようにした。
【００２７】
以下、本発明の実施の形態について説明する。
図１は、本発明のワイヤレスシステムを、サラウンドシステムに適用した場合の一実施形態を示す図、図２は、図１の受信機の内部構成を示す図、図３は、図１のワイヤレスシステムにおけるチャンネルサーチ方法を説明するためのフローチャートである。
【００２８】
図１に示すワイヤレスシステムは、たとえば４ｃｈのサラウンドシステムに適用した場合を示すものであり、テレビジョン装置（ＴＶ）２０にケーブル２０ａを介して接続される、複数の送信チャンネルのチャンネルサーチが可能であり、かつＡＶアンプを内蔵する受信機３０と、ＤＶＤプレーヤー４０やＭＤプレーヤー５０等の再生器からの再生信号であるオーディオ信号を任意の送信チャンネルを用いてワイヤレスで受信機３０に送信する送信機４１，５１とを備えている。
【００２９】
ちなみに、受信機３０には、コード２１，２２を介して送信部２３ａ，２４ａを有する左フロントｃｈスピーカ２３及び右フロントｃｈスピーカ２４が接続されている。視聴者の背面側には、受信部２５ａ，２６ａを有する左リアｃｈスピーカ２５及び右リアｃｈスピーカ２６が設けられている。
【００３０】
ここで、受信機３０は、たとえば４ＣＨ（チャンネル）での送信チャンネルのいずれかをサーチして受信できるものとし、ＤＶＤプレーヤー４０の送信機４１からの送信チャンネルがたとえば３ＣＨに設定され、ＭＤプレーヤー５０の送信機５１からの送信チャンネルがたとえば４ＣＨに設定されているものとする。ちなみに、受信機３０は、送信チャンネルを４つ有しているため、残りの送信チャンネルを用いてＣＤプレーヤー等の他の再生器からのオーディオ信号を受信することができる。
【００３１】
また、受信機３０と送信機４１，５１との通信方式は、電波又は赤外線のいずれかを用いることができ、送信機４１，５１からの信号が受信機３０の受信部３１によって受信されるようになっている。
【００３２】
そして、たとえばＤＶＤプレーヤー４０によって再生されたオーディオ信号が送信機４１から送信されると、受信機３０側ではチャンネルサーチを行い、３ＣＨの信号を受信する。その後、受信機３０に内蔵されている図示しないＡＶアンプにより、ＤＶＤソフトに収録されているドルビーデジタル等のオーディオ信号がＤＳＰによってデジタル処理され、ＣＯＤＥＣ等により、左フロントｃｈ、右フロントｃｈ、左リアｃｈ、右リアｃｈのそれぞれのオーディオ信号が出力される。
【００３３】
ちなみに、左フロントｃｈ及び左リアｃｈのオーディオ信号がコード２１を介して左フロントｃｈスピーカ２３に出力されると、左フロントｃｈのオーディオ信号が左フロントｃｈスピーカ２３から出力される。このとき、左リアｃｈのオーディオ信号が左フロントｃｈスピーカ２３の送信部２３ａから送信され、左リアｃｈスピーカ２５の受信部２５ａにより受信されることにより、左リアｃｈのオーディオ信号が左リアｃｈスピーカ２５から出力される。
【００３４】
また、右フロントｃｈ及び右リアｃｈのオーディオ信号がコード２２を介して右フロントｃｈスピーカ２４に出力されると、右フロントｃｈのオーディオ信号が右フロントｃｈスピーカ２４から出力される。このとき、右リアｃｈのオーディオ信号が右フロントｃｈスピーカ２４の送信部２４ａから送信され、右リアｃｈスピーカ２６の受信部２６ａにより受信されることにより、右リアｃｈのオーディオ信号が右リアｃｈスピーカ２６から出力される。
【００３５】
一方、ＭＤプレーヤー５０による再生が行われた場合には、上記同様に、受信機３０側でのチャンネルサーチが行われ、設定されている上述した４ＣＨの信号が受信されることで、左フロントｃｈスピーカ２３及び右フロントｃｈスピーカ２４からの音声出力が行われる。
【００３６】
図２は、受信機３０の内部構成を示す図であり、受信部３１、チャンネルサーチ部３２、メモリ３３、信号処理部３４、システムマイコン３５を備えている。
【００３７】
受信部３１は、上述したように、送信機４１，５１からの信号を受信する。チャンネルサーチ手段としてのチャンネルサーチ部３２は、ＤＶＤプレーヤー４０の送信機４１からのオーディオ信号又はＭＤプレーヤー５０の送信機５１からのオーディオ信号が途絶えた後に送信チャンネルを再サーチする際、オーディオ信号が途絶える直前の送信チャンネルと他の送信チャンネルとを交互にサーチするものであるが、その詳細は後述する。
【００３８】
記憶手段としてのメモリ３３には、オーディオ信号が途絶える直前の送信チャンネルが記憶される。信号処理部３４は、図示しないＡＶアンプの一部を構成するものであり、たとえばＤＶＤプレーヤー４０によって再生されたオーディオ信号がチャンネルサーチ部３２によってサーチされると、上述したように、ＤＶＤソフトに収録されているドルビーデジタル等のオーディオ信号をデジタル処理して左フロントｃｈ、右フロントｃｈ、左リアｃｈ、右リアｃｈのそれぞれのオーディオ信号を出力する。
【００３９】
システムマイコン３５は、受信部３１、チャンネルサーチ部３２、信号処理部３４の動作を制御するとともに、ＤＶＤプレーヤー４０の送信機４１からの送信チャンネル（たとえば３ＣＨ）とＭＤプレーヤー５０の送信機５１からの送信チャンネル（たとえば４ＣＨ）の設定を行う。なお、それぞれの送信機４１，５１の送信チャンネルの設定及び設定変更は、図示しないリモコン等からの設定及び設定変更に基づいて行うことができる。
【００４０】
次に、チャンネルサーチ方法について説明する。
なお、以下においては、受信機３０は、４ＣＨでの送信チャンネルの受信が可能であるものとし、ＤＶＤプレーヤー４０の送信機４１からの送信チャンネルがたとえば３ＣＨであるものとした場合について説明する。
【００４１】
まず、図３に示すように、受信機３０により、３ＣＨでの送信チャンネルによる送信機４１からのＤＶＤプレーヤー４０によって再生されたオーディオ信号が受信されている場合（ステップＳ１）、上述したＡＶアンプの一部を構成する信号処理部３４により、受信されたオーディオ信号がデジタル処理されて左フロントｃｈ、右フロントｃｈ、左リアｃｈ、右リアｃｈのそれぞれのオーディオ信号として出力される。そして、それぞれのｃｈのオーディオ信号が左フロントｃｈスピーカ２３、右フロントｃｈスピーカ２４、左リアｃｈスピーカ２５及び右リアｃｈスピーカ２６から出力されることで、サラウンド再生による音を楽しむことができる。
【００４２】
ここで、ＤＶＤプレーヤー４０の送信機４１からのオーディオ信号の受信が何らかの原因によって途絶えた場合、チャンネルサーチ部３２によりその３ＣＨの送信チャンネルがラストチャンネルとしてメモリ３３に記憶される（ステップＳ２）。
【００４３】
次いで、チャンネルサーチ部３２により、１ＣＨがサーチされ（ステップＳ３）、１ＣＨでの送信チャンネルによるオーディオ信号が受信された場合には（ステップＳ４）、１ＣＨでの送信チャンネルによるオーディオ信号により、受信再開となる（ステップＳ１３）。ただし、ここでは１ＣＨの送信チャンネルによるオーディオ信号が無いため、メモリ３３に記憶されているラストチャンネルである３ＣＨがサーチされる（ステップＳ５）。
【００４４】
ここで、ラストチャンネルである３ＣＨでの送信チャンネルによるオーディオ信号が受信された場合には（ステップＳ６）、３ＣＨでの送信チャンネルによるオーディオ信号により、受信再開となる（ステップＳ１３）。
【００４５】
これに対し、３ＣＨでの送信チャンネルによるオーディオ信号が受信されない場合には、２ＣＨがサーチされ（ステップＳ７）、２ＣＨでの送信チャンネルによるオーディオ信号が受信された場合には（ステップＳ８）、２ＣＨでの送信チャンネルによるオーディオ信号により、受信再開となる（ステップＳ１３）。ただし、ここでは２ＣＨの送信チャンネルによるオーディオ信号が無いため、再度、メモリ３３に記憶されているラストチャンネルである３ＣＨがサーチされる（ステップＳ９）。
【００４６】
ここで、ラストチャンネルである３ＣＨでの送信チャンネルによるオーディオ信号が受信された場合には（ステップＳ１０）、３ＣＨでの送信チャンネルによるオーディオ信号により、受信再開となる（ステップＳ１３）。
【００４７】
これに対し、さらに３ＣＨでの送信チャンネルによるオーディオ信号が受信されない場合には、４ＣＨがサーチされ（ステップＳ１１）、４ＣＨでの送信チャンネルによるオーディオ信号が受信された場合には（ステップＳ１２）、４ＣＨでの送信チャンネルによるオーディオ信号により、受信再開となる（ステップＳ１３）。ただし、ここでは４ＣＨの送信チャンネルによるオーディオ信号が無いため、再度、（ステップＳ３）に戻り、上述したように、チャンネルサーチ部３２により、１ＣＨ→３ＣＨ→２ＣＨ→３ＣＨ→４ＣＨ→３ＣＨといったようなチャンネルサーチが繰り返される。
【００４８】
このように、本実施形態では、たとえばＤＶＤプレーヤー４０の送信機４１からのたとえば３ＣＨでの送信チャンネルで送信されたオーディオ信号が途絶えた後に、送信チャンネルが受信機３０のチャンネルサーチ部３２によって再サーチされる際、オーディオ信号が途絶える直前の送信チャンネルをラストチャンネル（３ＣＨ）とし、１ＣＨ→３ＣＨ→２ＣＨ→３ＣＨ→４ＣＨ→３ＣＨといったようなチャンネルサーチが繰り返されるようにしたので、従来のように、１ＣＨからの順にチャンネルサーチが行われる場合に比べて、ラストチャンネル（３ＣＨ）をサーチする頻度が増えることから、チャンネルサーチのレスポンスを高めることができる。
【００４９】
また、本実施形態では、ＤＶＤプレーヤー４０の送信機４１からのオーディオ信号の受信が何らかの原因によって途絶えた場合、チャンネルサーチ部３２によりその３ＣＨの送信チャンネルがラストチャンネルとしてメモリ３３に記憶されるようにしたので、再サーチが行われる際にメモリ３３に記憶されたラストチャンネルを参照することで、ラストチャンネルを確実に把握することが可能となる。
【００５０】
なお、本実施形態では、ラストチャンネル（３ＣＨ）として再サーチが行われる際、１ＣＨ→３ＣＨ→２ＣＨ→３ＣＨ→４ＣＨ→３ＣＨといったようなチャンネルサーチが繰り返されるようにした場合について説明したが、この例に限らず、３ＣＨ→１ＣＨ→３ＣＨ→２ＣＨ→３ＣＨ→４ＣＨ→３ＣＨといったように、最初にラストチャンネル（３ＣＨ）からサーチが行われるようにしてもよい。
【産業上の利用可能性】
【００５１】
車載用のワイヤレスシステムやトランシーバーによるワイヤレスシステムにも適用可能である。
【図面の簡単な説明】
【００５２】
【図１】本発明のワイヤレスシステムを、サラウンドシステムに適用した場合の一実施形態を示す図である。
【図２】図１の受信機の内部構成を示す図である。
【図３】図１のワイヤレスシステムにおけるチャンネルサーチ方法を説明するためのフローチャートである。
【図４】従来のワイヤレスシステムを、サラウンドシステムに適用した場合の一例を示す図である。
【符号の説明】
【００５３】
３０  受信機
３１  受信部
３２  チャンネルサーチ部
３３  メモリ
４１，５１  送信機
【図１】
2006086982.tif 000003
【図２】
2006086982.tif 000004
【図３】
2006086982.tif 000005
【図４】
2006086982.tif 000006